(57)【要約】【課題】  若年者にとっても興趣が湧くような将棋を実施することができ、遊戯時、保管時、携帯時における便宜性をも向上させた将棋用具を提供する。【解決手段】  正八角形状のマス１２を縦方向に８又は１０マス、横方向に９マス形成して成り、縦方向の各端から３段目までを各陣の陣地１４ｆ，１４ｅとし、縦方向の各端から３段目を王又は玉が最初に配置される王道１５ｆ，１５ｅとした将棋盤１と、前記マス１２に対応する正八角形状の将棋駒２と、から将棋用具を構成する。将棋盤１は、その側面部１８に将棋駒２の駒収納箱１９を設置してある。又、将棋駒２は、その表面に通常時の動き、その裏面に成駒時の動きを、点又は線で表示してある。【選択図】  図１
2015027436.tif 000002
【特許請求の範囲】
【請求項１】
正八角形状のマスを縦方向に８又は１０マス、横方向に９マス形成して成り、縦方向の各端から３段目までを各陣の陣地とし、縦方向の各端から３段目を王が最初に配置される王道とした将棋盤と、前記マスに対応する正八角形状の将棋駒と、から構成したことを特徴とする将棋用具。
【請求項２】
前記将棋盤は、その一方の表面に縦方向に８マス、その他方の表面に縦方向に１０マス形成したことを特徴とする請求項１に記載の将棋用具。
【請求項３】
前記将棋盤は、その側面部に前記将棋駒の駒収納箱を設置したことを特徴とする請求項１又は２に記載の将棋用具。
【請求項４】
前記将棋駒は、その表面に通常時の動きを表示し、その裏面に成駒時の動きを表示したことを特徴とする請求項１乃至３の何れかに記載の将棋用具。
【請求項５】
前記将棋駒は、その動きを点又は線で表示したことを特徴とする請求項４に記載の将棋用具。
【発明の詳細な説明】
【技術分野】
【０００１】
本発明は、盤上遊戯の一種である従来の日本将棋を発展させ、より興趣深いものとした変則将棋を指すのに好適な将棋用具に関する。
【背景技術】
【０００２】
日本将棋は、図７に示すように、縦横９×９のマスを形成した、長方形状を呈する将棋盤５１と、先端尖鋭状の五角形状を呈する、玉将以下８種類、全部で４０個の将棋駒５２と、を使用するものであり、将棋盤５１を挟んで二名の対局者が相対し、盤上に配置した駒５２を交互に動かし、相手の玉将を先に詰めた者が勝者となる盤上遊戯である。
【０００３】
上記日本将棋は、プロ、アマともに種々の公式棋戦が存在する他、過去における対局の棋譜も豊富に蓄積されており、これらを研究することによって、既に幾他の定跡が存在している。このため、少々、定型化した遊戯との印象を受けるために、最近の若年者の間においては、将棋に対する興味が薄れている感がある。
【０００４】
一方、遊戯方法及び手順を大容量メモリに蓄積し、コンピュータと棋士とを対局させる企画等も実施され、平成２５年４月２０日に開催された、将棋ソフト「ＧＰＳ将棋」を格納したコンピュータとプロ棋士との対局戦では、コンピュータ側が３勝１敗１分という好成績を収めるという結果もあって、将棋に対する興味が急速に薄れている感もある。
【０００５】
上記のように、将棋に対する興味が薄れている要因として、将棋用具である将棋盤と将棋駒とが定型的過ぎて、興趣が湧かなくなってしまったこと、遊戯方法が定型的過ぎて、研究の蓄積が十分であるために、上級者又はコンピュータには容易に勝利できず、興趣が湧かなくなってしまったこと等が考えられる。
【０００６】
そのため、日本将棋の基本概念は残存させしつつも、将棋用具及び遊戯方法の側面から種々改良を加え、最近の若年者にとっても興趣が湧くような将棋を実施することができると共に、遊戯時、保管時、携帯時における便宜性を向上させた、将棋用具が種々提案されている（例えば、特許文献１乃至３を参照）。
【０００７】
特許文献１に記載のものは、将棋盤の盤面上のマスの数、将棋駒の種類及び個数を減少させ、遊戯方法を単純化すると共に、各駒に移動方法を表示して、直ちに遊戯方法を習得できるようにして、初心者にも理解し易くしたものである。
【０００８】
特許文献２に記載のものは、逆に、将棋盤の盤面上のマスの数、将棋駒の種類及び個数を増大させ、遊戯方法を複雑化すると共に、将棋盤の盤面の形状、各駒の形態を特殊なものとして、遊戯者に興趣を湧かせるようにしたものである。
【０００９】
特許文献３に記載のものは、将棋盤の側面に収納自在な駒置台を配設し、遊戯時には、その駒置台に取得した駒を載置できるようにして、遊戯時における便宜性を向上させたものである。
【先行技術文献】
【特許文献】
【００１０】
【特許文献１】特開２００６−０６１６４７号公報
【特許文献２】特開２００５−１３１３５３号公報
【特許文献３】特開２００２−１８６７０３号公報
【発明の概要】
【発明が解決しようとする課題】
【００１１】
上記特許文献１に記載のものは、将棋盤の盤面上のマスの数、将棋駒の種類及び個数を減少させ、遊戯方法を単純化したものであり、初心者でも直ちに遊戯方法を習得できるために、短期間のうちに飽きられてしまうという問題がある。
【００１２】
上記特許文献２に記載のものは、将棋盤の盤面上のマスの数、将棋駒の種類及び個数を増大させ、遊戯方法を複雑化すると共に、将棋盤の盤面の形状、各駒の形態を特殊なものとしたために、直ちに遊戯方法を習得できないという問題がある。
【００１３】
上記特許文献３に記載のものは、将棋盤の側面に収納自在な駒置台を配設しただけであるから、遊戯時における便宜性を向上させることはできるものの、保管時、携帯時における便宜性を向上させることはできない。
【００１４】
本発明は、かかる問題点を解決するために為されたものであって、日本将棋の基本概念は残存させしつつも、将棋用具及び遊戯方法の側面から種々改良を加え、最近の若年者にとっても興趣が湧くような将棋を実施することができると共に、遊戯時、保管時、携帯時における便宜性をも向上させた将棋用具を提供することを目的とする。
【課題を解決するための手段】
【００１５】
上記目的を達成するため、本発明の将棋用具は、正八角形状のマスを縦方向に８又は１０マス、横方向に９マス形成して成り、縦方向の各端から３段目までを各陣の陣地とし、縦方向の各端から３段目を王又は玉が最初に配置される王道とした将棋盤と、前記マスに対応する正八角形状の将棋駒と、から構成したことを特徴とする。
【００１６】
前記将棋盤は、その一方の表面に縦方向に８マス、その他方の表面に縦方向に１０マス形成するのが好ましい。
【００１７】
前記将棋盤は、その側面部に前記将棋駒の駒収納箱を設置したものであるのが好ましい。
【００１８】
前記将棋駒は、その表面に通常時の動きを表示し、その裏面に成駒時の動きを表示したものであるのが好ましい。
【００１９】
そして、前記将棋駒は、その動きを点又は線で表示するのが好ましい。
【発明の効果】
【００２０】
本発明の将棋用具によれば、日本将棋の基本概念は残存させしつつも、将棋用具及び遊戯方法の側面から種々改良を加え、最近の若年者にとっても興趣が湧くような将棋を実施することができる。
【００２１】
又、側面部に前記将棋駒の挿入箱を設置した将棋用具によれば、遊戯時、保管時、携帯時における便宜性をも向上させることができる。
【図面の簡単な説明】
【００２２】
【図１】本発明の将棋盤の平面図である。
【図２】本発明の将棋盤の底面図である。
【図３】本発明の将棋盤の（Ａ）は駒収納箱を引き出した状態の斜視図、（Ｂ）は駒収納箱を反転させた状態の斜視図である。
【図４】本発明の将棋駒の平面図である。
【図５】本発明の将棋駒の底面図である。
【図６】本発明の将棋用具により遊戯する方法を説明する平面図である。
【図７】従来の将棋盤の盤面に将棋駒を配置した状態の平面図である。
【発明を実施するための形態】
【００２３】
以下、本発明の将棋用具の好適な実施形態について、図面を参照して詳細に説明する。
将棋用具は、図１乃至５に示すように、将棋盤１と将棋駒２とから構成される。
【００２４】
将棋盤１は、図１に示すように、表面盤面１１に、正八角形状のマス１２を縦方向に８マス、横方向に９マス形成してある。
そして、各マス１２の中心１２ｃから各頂点１２ｔを直線１３で結ぶと共に、隣接するマス１２，１２の中心１２ｃ，１２ｃをも直線１３で結んである。
【００２５】
図１において、縦方向の下端から３段目までを自陣の陣地１４ｆとし、縦方向の上端から３段目までを敵陣の陣地１４ｅとしてあり、各端から３段目を王将が最初に配置される王道１５ｅ，１５ｆとしてある。
【００２６】
ここで、王道１５ｅ，１５ｆが明瞭に理解できるように、３段目と隣接する２段目、４段目との間に境界線１６を付すか、３段目に赤色、青色等の色彩を付すのが好ましい。
【００２７】
将棋盤１は、又、図２に示すように、裏面盤面１７に、正八角形状のマス１２を縦方向に１０マス、横方向に９マス形成してある。
【００２８】
裏面盤面１７の構成は、縦方向に１０マス、横方向に９マス形成した以外は、表面盤面１１の構成と同様である。
【００２９】
将棋盤１は、又、図３に示すように、縦方向中央線１ａで折曲自在としてあり、その側面部１８には、出入自在の駒収納箱１９を設置してある。
【００３０】
図３（Ａ）に示すように、この駒収納箱１９を引き出し、その内部１９ａに将棋駒２を収納した後、駒収納箱１９を押し入れておけば、保管時又は携帯時に、将棋駒２を専用の駒箱に収納することなく、将棋盤１と一体に保管又は携帯することができる。
【００３１】
一方、図３（Ｂ）に示すように、この駒収納箱１９を引き出し、その底面１９ｂを上側に反転させておけば、遊戯時に、その底面１９ｂに取得した将棋駒２を載置させておくことができ、別途、駒載置台を使用する必要がない。
【００３２】
将棋駒２は、図４及び５に示すように、薄肉平板状であって、前記マス１２に対応し、平面視、正八角形状を呈するものである。
【００３３】
将棋駒２は、図４に示すように、従来の日本将棋と同様に、王将２１、飛車２２、角行２３、金将２４、銀将２５、桂馬２６、香車２７及び歩兵２８の８種類から成る。
【００３４】
そして、各将棋駒２の表面には、図４に示すように、通常時の動きを点又は線で表示してある。
本実施例では、各将棋駒２の表面に、将棋駒２の中心２ｃから同心円３１，３２を描いてある。
そして、その同心円３１，３２上で将棋駒２の頂点２ｔ方向に白丸、黒丸等の点３３を描き、又、同心円３１，３２を通る将棋駒２の頂点２ｔ方向へ矢線３４等の線を描けば、一目で、各将棋駒２の動きが理解できる。
【００３５】
ここで、桂馬２６の場合には、点又は線が頂点２ｔ方向に向かわないが、図４に示すように、頂点２ｔ方向を利用してその動きを描くことができる。
尚、同心円３１，３２の代わりに、同心で正八角形を描いてもよい。
【００３６】
本発明の将棋駒２も、図５に示すように、従来の日本将棋と同様に、飛車２２、角行２３、銀将２５、桂馬２６、香車２７及び歩兵２８の裏面には、龍２２ａ、馬２３ａ、成銀２５ａ、成桂２６ａ、成香２７ａ、と２８ａと表示してある。
【００３７】
そして、各将棋駒２の裏面には、図５に示すように、成駒時の動きを点又は線で表示してある。
ここで、裏面の点又は線の表示も、表面と同様な方法を採用してある。
【００３８】
本発明の将棋用具は、以上のような構成であり、図６に示すようにして、遊戯することができる。
【００３９】
この遊戯方法では、従来の将棋と異なり、遊戯開始時には、将棋盤１の盤面には何等の将棋駒２も配置せず、全ての将棋駒２は、各自の持駒となっている。
【００４０】
先ず、先手は、図６（Ａ）に示すように、自陣の陣地１４ｆに形成された王道１５ｆの何れかのマス１２に玉将２１を配置し、次に、後手も、図６（Ｂ）に示すように、敵陣の陣地１４ｅに形成された王道１５ｅの何れかのマス１２に玉将２１を配置する。
【００４１】
次に、先手は、図６（Ｃ）に示すように、自分の持駒から適宜駒を選択し、将棋盤１の盤面の適宜マス１２に配置する。この際、後手の玉将２１に対して、直ちに「王手」をかけても構わない。
【００４２】
これに対して、後手は、自分の玉将２１を「王手」を回避すべく、適宜マス１２に移動するか、図６（Ｄ）に示すように、「王手」を阻止すべく、適宜駒を適宜マス１２に配置する。
【００４３】
先手が「王手」をかけない場合、後手は、自分の持駒から適宜駒を選択し、将棋盤１の盤面の適宜マス１２に配置する。この際、先手の玉将２１に対して、直ちに「王手」をかけても構わない。
【００４４】
以下、先手、後手ともに、自分の持駒から適宜駒を選択し、適宜マス１２に自由に配置していき、相手の玉将２１を先に詰んだ方を勝者とするが、各駒２の動かし方は、従来における日本将棋と同様である。
【００４５】
又、各駒２が相手方の陣地１４ｆ，１４ｅに侵入した場合に、当該駒２が成駒となることができるのも、従来における日本将棋と同様である。
【００４６】
以上のように、本発明の将棋用具によれば、上述のような遊戯方法を採用することができるから、遊戯開始時に、将棋盤１の盤面に全ての将棋駒２を配置する従来の日本将棋とは異なって、極めて変化に富んだ戦略をとることができる。
【００４７】
このため、従来の定跡は通用せず、対局者には新たな構想に基づく戦略をとることが要求され、最近の若年者にとっても興趣が湧くような将棋を実施することができる。
【００４８】
そして、各駒２の表面及び裏面には、その駒２の動きが、点又は線に明瞭に表示されているから、始めて遊戯する者も、混乱することなく、直ちに遊戯することができる。
【００４９】
又、各駒２は正八角形状を呈するものであり、各駒２の動き方は正八角形の各頂点方向になるから、その駒２の動きを明瞭に知ることができる。
【００５０】
又、将棋盤１は、各マス１２の中心１２ｃから各頂点１２ｔを直線１３で結ぶと共に、隣接するマス１２，１２の中心１２ｃ，１２ｃをも直線１３で結んであるから、盤上に配置した駒２も、この直線に沿って動かすことを容易に知ることができる。
【００５１】
本発明の将棋盤１は、表面盤面１１に、正八角形状のマス１２を縦方向に８マス、横方向に９マス形成し、裏面盤面１７に、正八角形状のマス１２を縦方向に１０マス、横方向に９マス形成したから、表面と裏面とで、異なった遊戯を楽しむことができる。
【００５２】
将棋盤１は、又、その側面部１８に、収納自在の駒収納箱１９を設置したから、駒収納箱１９の内部１９ａに将棋駒２を収納し、駒収納箱１９を押し込んでおけば、保管時又は携帯時に、専用の駒箱に収納する必要はなく、保管又は携帯することができ、極めて便利である。
【００５３】
一方、駒収納箱１９を引き出し、その底面１９ｂ上側に反転させておけば、遊戯時に、その底面１９ｂに取得した将棋駒２を載置させておくことができ、極めて便利である。
【符号の説明】
【００５４】
１  将棋盤
２  将棋駒
１１  表面盤面
１２  マス
１７  裏面盤面
１８  側面部
１９  駒収納箱
【図１】
2015027436.tif 000003
【図２】
2015027436.tif 000004
【図３】
2015027436.tif 000005
【図４】
2015027436.tif 000006
【図５】
2015027436.tif 000007
【図６】
2015027436.tif 000008
【図７】
2015027436.tif 000009